(57)【要約】【課題】外部からの異物流入を低減する液晶表示装置を提供する。【解決手段】液晶表示装置は、映像を表示するための液晶表示パネルと、液晶表示パネルに光を提供するためのランプ２７１０と、液晶表示パネルとランプを収納するためのモールドフレーム２８００と、モールドフレームと結合して液晶表示パネルをモールドフレームに固定するためのトップシャーシ２９００と、を含み、モールドフレームには、トップシャーシの側壁と対向すると共に側壁から外側に突出してトップシャーシの側壁が装着される突出部２８０１が形成されている。【選択図】図１６
2010250356.tif 000002
【特許請求の範囲】
【請求項１】
映像を表示するためのディスプレイパネルと、
前記ディスプレイパネルに光を提供するためのランプと、
前記ディスプレイパネルと前記ランプを収納するための収納容器と、
前記収納容器と結合して前記ディスプレイパネルを前記収納容器に固定するためのトップシャーシと、を含み、
前記収納容器には、前記トップシャーシの側壁と対向すると共に側壁から外側に突出して前記トップシャーシの側壁が装着される突出部が形成されたことを特徴とする液晶表示装置。
【請求項２】
前記収納容器の突出部の幅寸法は、前記トップシャーシの側壁の厚さ寸法よりも大きいことを特徴とする請求項１記載の液晶表示装置
【請求項３】
前記収納容器の突出部上部に塗布された接着物質をさらに含み、前記接着物質は、前記収納容器の突出部と前記突出部に対向する前記トップシャーシの側壁とが接する領域を密封することを特徴とする請求項１記載の液晶表示装置。
【発明の詳細な説明】
【技術分野】
【０００１】
本発明は、液晶表示装置に関する。
【背景技術】
【０００２】
一般に、液晶表示装置（Ｌｉｑｕｉｄ  Ｃｒｙｓｔａｌ  Ｄｉｓｐｌａｙ  ｄｅｖｉｃｅ：ＬＣＤ）は、液晶（Ｌｉｑｕｉｄ  Ｃｒｙｓｔａｌ）を用いて映像を表示するための平板表示装置（Ｆｌａｔ  Ｄｉｓｐｌａｙ  Ｄｅｖｉｃｅ）のうち、一つである。
【０００３】
液晶表示装置は、映像を表示するために、液晶制御装置及び光発生装置を必要とし、光発生装置及び液晶制御装置は、収納容器に収納される。
【０００４】
この際、光発生装置及び液晶制御装置に付いている異物は、光の進行を妨害する。従って、ユーザは映像と共に異物を認識することになり、このため表示品質は非常に低くなる。
【０００５】
このような理由で、光発生装置及び液晶制御装置は、非常に清浄な環境で製作され、収納容器に組立てられる。
【０００６】
しかし、大部分の液晶表示装置は、異物が非常に多い劣悪な環境で動作するので、多数の異物は、液晶表示装置の光発生装置と液晶制御装置との間に侵入又は拡散されることができ、液晶制御装置の間に侵入又は拡散された異物は、液晶表示装置の表示品質を非常に低下させる。
【０００７】
これを解決するために、従来には収納容器のうち、光発生装置の底面と接する部分に異物流入防止部材を取付けた。異物流入防止部材はゴム、又はシリコン等の弾性を有する物質で制作され、異物を遮断するために所定の高さを有する。
【０００８】
しかし、収納容器には必要に応じて多様な溝又は開口等が形成されるので、異物流入防止部材、特に、流動性が豊富な異物流入防止部材は、溝又は開口に塗布することが困難であるという問題点を有する。
【発明の概要】
【発明が解決しようとする課題】
【０００９】
従って、本発明はこのような従来の問題点を勘案したもので、本発明は、映像が表示される領域に異物が流入されることを防止した液晶表示装置を提供する。
【課題を解決するための手段】
【００１０】
本発明の目的を達成するために、本発明は、映像を表示するためのディスプレイパネルと、前記ディスプレイパネルに光を提供するためのランプと、前記ディスプレイパネルと前記ランプを収納するための収納容器と、前記収納容器と結合して前記ディスプレイパネルを前記収納容器に固定するためのトップシャーシと、を含み、前記収納容器には、前記トップシャーシの側壁と対向すると共に側壁から外側に突出して前記トップシャーシの側壁が装着される突出部が形成されたことを特徴とする液晶表示装置を提供する。
【発明の効果】
【００１１】
本発明によると、異物が表示領域に流入されることを防止して画質を向上させる効果がある。
【図面の簡単な説明】
【００１２】
【図１】参考例１に係るバックライト組立品を示した分解斜視図である。
【図２】図１に図示された液晶表示パネル支持体及び前記液晶表示パネルと結合される光学シート類の部分分解斜視図である。
【図３】図１に図示された液晶表示パネル支持体の平面図である。
【図４】図１に図示された第２異物流入防止部を示した部分切欠き拡大斜視図である。
【図５】参考例２に係るバックライト組立品の第２異物流入防止部を示した部分切欠き拡大斜視図である。
【図６】参考例３に係るバックライト組立品の第２異物流入防止部を示した部分切欠き拡大斜視図である。
【図７】参考例４に係るバックライト組立品を示した分解斜視図である。
【図８】図７の液晶表示パネル支持体を示した斜視図である。
【図９】図８のＡ１−Ａ２に沿って切欠いた断面図である。
【図１０】参考例５に係るバックライト組立品の液晶表示パネル支持体を示した断面図である。
【図１１】参考例６に係るバックライト組立品の液晶表示パネル支持体を示した断面図である。
【図１２】参考例７に係る液晶表示装置を示した分解斜視図である。
【図１３】参考例８に係る液晶表示装置の分解斜視図である。
【図１４】本発明の液晶表示装置の分解斜視図を示した図である。
【図１５】図１に図示されたモールドフレームにランプユニットを収納した構造を示した切欠き斜視図である
【図１６】図２に図示されたモールドフレーム、ランプユニット及びトップシャーシが結合された構造をＩ−Ｉ′線に沿って切欠いた断面図である。
【図１７】参考例９に係るバックライト組立品の液晶表示パネル支持体に異物流入防止部を塗布するための異物遮断部形成装置を示した斜視図である。
【発明を実施するための形態】
【００１３】
以下、添付図面を参照して本発明に係る液晶表示装置の望ましい実施形態を詳細に説明する。
【００１４】
バックライト組立品
（参考例１）
図１は、参考例１に係るバックライト組立品を示した分解斜視図である。
【００１５】
図１を参照すると、バックライト組立品６００は、液晶表示パネル支持体１００と、第１収納容器４００と、光出射装置３００とで構成される。
【００１６】
液晶表示パネル支持体１００は、第１支持フレーム部１１０と、第２支持フレーム部１２０と、第１異物流入防止部１３５及び第２異物流入防止部１３７とを含む。第１支持フレーム部１１０には、結合溝１１３及び第１結合孔１２５ａが形成される。
【００１７】
第１収納容器４００は、第１底面４１０及び第１側壁４２０で構成される。第１収納容器４００は、多様な材質で製作されることができ、本参考例においては、好ましくは金属材料で製作される。
【００１８】
第１底面４１０は、長方形のプレート形状を有し、第１側壁４２０は第１底面４１０の端縁からそれぞれ突出し、収納空間が形成されるようになっている。第１底面４１０の端縁から突出した第１側壁４２０のうち、図面符号４２２及び図面符号４２４として図示した第１側壁には、第１収納容器４００を固定するためのブラケット４２５、４２６が形成される。ブラケット４２５、４２６には、それぞれ第１ねじ締結孔４２５ａ、４２６ａが形成される。光出射装置３００は、第１収納容器４００の収納空間に配置される。光出射装置３００は、反射板３１０と、導光板３２０と、ランプ組立品３３０及び光学シート類３４０を含む。
【００１９】
一参考例として反射板３１０は、第１収納容器４００の第１底面４１０に配置される。反射板３１０は、光反射率に優れた合成樹脂等で製作される。導光板３２０は、反射板３１０の上面に装着される。導光板３２０は、直六面体プレート又はくさび形状に製作される。
【００２０】
ランプ組立品３３０は、導光板３２０の両側面に結合される。ランプ組立品３３０は、ランプ３３２及びランプカバー３３４で構成される。
【００２１】
ランプ３３２は、導光板３２０の側面と向かい合うように配置され、冷陰極線管方式のランプを用いることができる。ランプカバー３３４は、ランプ３３２を囲み、ランプ３３２が導光板３２０の側面に結合されるようにする。
【００２２】
光学シート類３４０は、導光板３２０の上面に装着され、導光板３２０から出射された光の輝度分布をより均一にする。光学シート類３４０は、少なくとも１枚の拡散シートと、少なくとも１枚のプリズムシート等とで構成される。光学シート類３４０には、少なくとも一つの突出した固定部３４２が設けられ、固定部３４２には第２結合孔３４３が形成される。
【００２３】
一方、第２収納容器５００は、第１収納容器４００を収納するのに適合した形状に製作される。第２収納容器５００は、上面が開口した直六面体箱形状に製作される。
【００２４】
具体的に、第２収納容器５００は、第２底面５１０及び第２側壁５２０で構成される。第２側壁５２０のうち、第１収納容器４００のブラケット４２５、４２６の第１ねじ締結孔４２５ａ、４２６ａと対応する部分には、第２ねじ締結孔５２２、５２４が形成され、ねじ５２６は第１ねじ締結孔４２５ａ、４２６ａ及び第２ねじ締結孔５２２、５２４に締結される。
【００２５】
一方、第２収納容器５００の第２側壁５２０には光学シート類３４０の固定部３４２に形成された第２結合孔３４３と結合するための固定ボス５２７が形成される。
【００２６】
又、第２収納容器５００の第２側壁５２０の側面には、液晶表示パネル支持体１００の第１結合孔１２５ａとフック結合するための結合突起５２８が形成される。
【００２７】
図２は、図１に図示された液晶表示パネル支持体１００及び液晶表示パネルと結合される光学シート類３４０の部分分解斜視図である。図３は、図１に図示された液晶表示パネル支持体１００の平面図である。
【００２８】
液晶表示パネル支持体１００は、液晶表示パネル（図示せず）を収納し、液晶表示パネルが内部でずれてしまうことを防止する。液晶表示パネルがずれるのを防止するために、液晶表示パネル支持体１００は、液晶表示パネルの形状に対応する形状を有する。
【００２９】
本参考例において、液晶表示パネルは長方形プレート形状を有するので、液晶表示パネル支持体１００も液晶表示パネルを支持するために、内側に開口が形成された長方形フレーム形状を有する。
【００３０】
液晶表示パネル支持体１００は、液晶表示パネルへランプ組立品３３０からの光を通過させると同時に、液晶表示パネルの底面を支持する役割を果たす。これを実現するために、液晶表示パネル支持体１００の第１支持フレーム部１１０は、液晶表示パネルの底面の端縁と向かい合って接触するように接触部が形成されると共に、その接触部の更に内側に開口１０５が形成された長方形フレーム形状を有する。
【００３１】
一方、第１支持フレーム部１１０は、開口１０５の面積及び形状を画定する開口面１１２を有する。この際、開口面１１２には、開口面１１２の表面から所定の深さを有する結合溝１１３が更に形成され、結合溝１１３は、第１支持フレーム部１１０に少なくとも１個以上が形成されることができる。本参考例においては、開口面１１２のうち、相互に対向する二つの面に２個の結合溝１１３がそれぞれ向かい合うように形成されている。
【００３２】
本参考例において、結合溝１１３には、映像を表示するために液晶表示パネルに供給される光の光学特性を変更させる光学シート類３４０が結合される。光学シート類３４０から突出した固定部３４２は、結合溝１１３と結合する。
【００３３】
第２支持フレーム部１２０は、第１支持フレーム部１１０に装着された液晶表示パネルの各側面と向かい合う方向に設けられ、液晶表示パネルの水平方向の動きを制限する。第１支持フレーム部１１０及び第２支持フレーム部１２０は、射出成形によって一体型に製作するか、第１支持フレーム部１１０に第２支持フレーム部１２０を取付ける方式で製作することができる。
【００３４】
第１支持フレーム部１１０には、他の部材、例えば、収納容器等と結合するための結合部１２５が形成される。結合部１２５は、第１支持フレーム部１１０に関して第２支持フレーム部１２０の形成方向（上側方向）と反対方向（下側方向）に一部が突出し、この結合部１２５には、第１結合孔１２５ａが形成される。
【００３５】
第１異物流入防止部１３５は、第１支持フレーム部１１０と液晶表示パネルの底面との間を異物が通過することを大部分防止する。
【００３６】
図２を更に参照すると、第１異物流入防止部１３５は、第１支持フレーム部１１０のうち、液晶表示パネルの底面と向かい合う面１１５の周囲に沿って形成される。
【００３７】
この際、第１異物流入防止部１３５は、第１支持フレーム部１１０の面１１５に閉ループ形状に形成されることが好ましい。しかし、本参考例においては、第１異物流入防止部１３５を閉ループ形状に形成することが非常に難しい。なぜなら、第１支持フレーム部１１０に形成される第１異物流入防止部１３５が通過する経路上に、結合溝１１３が形成されるためである。
【００３８】
結合溝１１３に該当する部分には、第１異物流入防止部１３５を形成することができないため、この部分を通じて異物が頻繁に侵入してしまうおそれがある。また、第１異物流入防止部１３５を形成する物質が、流動性の高いゴム又はシリコンなどである場合、第１異物流入防止部１３５を構成する物質自体が、結合溝１１３の内部に流れて結合溝１１３を汚染してしまうおそれがある。本参考例において、第１支持フレーム部１１０には１個以上の結合溝１１３が形成されているので、第１異物流入防止部１３５は、結合溝１１３により切れた２個以上の端部１３５ａ、１３５ｂを有している（図３参照）。
【００３９】
上記したように、第１異物流入防止部１３５は、端部１３５ａ、１３５ｂによって閉ループ形状を形成することができない。従って、この部分には、多量の異物が侵入して表示品質の不良が発生する虞がある。このため、本参考例では、これを防止するために、第１支持フレーム部１１０に第２異物流入防止部１３７が配置される。
【００４０】
図４は、図１に図示された第２異物流入防止部を示した部分切開拡大斜視図である。
【００４１】
図３及び図４を参照すると、第２異物流入防止部１３７は、第１異物流入防止部１３５の切れた端部１３５ａ、１３５ｂの間に異物が侵入又は拡散されることを防止する。
【００４２】
第２異物流入防止部１３７は、例えば、ポリエチレンテレフタレート（Ｐｏｌｙｅｔｈｙｌｅｎｅ  Ｔｅｒｅｐｈｔｈａｌａｔｅ：ＰＥＴ）物質で製作される。第２異物流入防止部１３７は、ポリエチレンテレフタレート物質以外にも、多様な合成樹脂物質で製作することができる。
【００４３】
第２異物流入防止部１３７は、第１本体１３７ａ、第２本体１３７ｂ及び第３本体１３７ｃで構成される。第１本体１３７ａ及び第３本体１３７ｃは、直六面体棒形状を有し、結合溝１１３によって途切れた第１異物流入防止部１３５の端部１３５ａ、１３５ｂの近傍に配置される。好ましくは、第１本体１３７ａ及び第３本体１３７ｃは互いに平行に配置され、第１本体１３７ａ及び第３本体１３７ｃの間には第１異物流入防止部１３５の途切れた端部１３５ａ、１３５ｂが配置される。前記第２異物流入防止部１３７は、全体として「Ｈ」形状を有する。
【００４４】
この時、第１本体１３７ａ及び第３本体１３７ｃが、個別的に第１異物流入防止部１３５の切れた端部１３５ａ、１３５ｂを両側面から挟む場合、第１本体１３７ａ及び第３本体１３７ｃを第１支持フレーム部１１０にそれぞれ個別に取付けなければならないので、製造工程数が増加し、工程にかかる時間が非常に増加する。
【００４５】
製造工程数を低減し、及び工程に必要な時間を短縮するために、第１本体１３７ａ及び第３本体１３７ｃは、第２本体１３７ｂによって連結される。この際、第２本体１３７ｂは、第１異物流入防止部１３５の切れた端部１３５ａ、１３５ｂの間を通じて第１本体１３７ａ及び第３本体１３７ｃを相互連結する。第１本体１３７ａ、第２本体１３７ｂ及び第３本体１３７ｃを、図４には点線で分離されているように図示したが、これは説明の便宜を図るためのものであり、実際にこれは一体的に形成される。
【００４６】
一方、本参考例による第２異物流入防止部１３７のうち、第１支持フレーム部１１０と向かい合う面には、接着物質が塗布され、第２異物流入防止部１３７が第１支持フレーム部１１０に取付けられるようにする。
【００４７】
本参考例によると、第２異物流入防止部１３７は、異物が第１異物流入防止部１３５の切れた端部１３５ａ、１３５ｂを通じて、液晶表示パネル５０の映像が表示される部分に侵入することを防止する。
【００４８】
（参考例２）
図５は、参考例２に係るバックライト組立品の第２異物流入防止部を示した部分切欠き斜視図である。本参考例において、第２異物流入防止部を除いた残りの構成要素は、参考例１と同じなので、その重複説明は省略し、参考例１と同一な部分には同一な図面符号及び名称を用いることにする。
【００４９】
図５を参照すると、第２異物流入防止部１３８は、第１本体１３８ａ及び第２本体１３８ｂで構成される。
【００５０】
第１本体１３８ａは、直六面体棒形状を有し、第１異物流入防止部１３５と平行に第１支持フレーム部１１０に配置される。第１本体１３８ａは、結合溝１１３によって切れた第１異物流入防止部１３５の端部１３５ａ、１３５ｂの近傍に配置される。この際、第１異物流入防止部１３５の側壁及び第１本体１３８ａの側壁は、相互密着されるようにして異物が第１異物流入防止部１３５及び第２異物流入防止部１３８の間に侵入しないようにする。
【００５１】
一方、異物の流入をより効率的に遮断するために、第１本体１３８ａには第２本体１３８ｂが連結される。第２本体１３８ｂは、第１異物流入防止部１３５の切れた端部１３５ａ、１３５ｂの間に配置され、異物が第１異物流入防止部１３５の切れた端部１３５ａ、１３５ｂの間に侵入することを防止する。前記第２異物流入防止部１３７は、「Ｔ」形状を有する。
【００５２】
図５には、第１本体１３８ａ及び第２本体１３８ｂを点線で分離されているように図示したが、これは説明の便宜を図るためのものであり、実際にこれは一体的に形成される。一方、本参考例による第２異物流入防止部１３８のうち、第１支持フレーム部１１０と向かい合う面には接着物質が塗布され、第２異物流入防止部１３８が第１支持フレーム部１１０に固定されるようになっている。
【００５３】
（参考例３）
図６は、参考例３に係るバックライト組立品の第２異物流入防止部を示した部分切欠き拡大斜視図である。本参考例において、第２異物流入防止部を除いた残りの構成要素は、参考例１と同じなので、その重複説明は省略し、参考例１と同一な部分には同一な図面符号及び名称を用いることにする。
【００５４】
図６を参照すると、第２異物流入防止部１３９は、直六面体棒形状を有し、第１異物流入防止部１３５と平行な状態で、第１支持フレーム部１１０に配置される。第２異物流入防止部１３９は、結合溝１１３によって切れた第１異物流入防止部１３５の端部１３５ａ、１３５ｂの近傍に配置される。この際、第１異物流入防止部１３５の側壁及び第２異物流入防止部１３９の側壁は相互密着されるようにして、異物が第１異物流入防止部１３５及び第２異物流入防止部１３９の間に侵入しないようにする。
【００５５】
一方、本参考例に係る第２異物流入防止部１３９のうち、第１支持フレーム部１１０と向かい合う面には接着物質が塗布され、第２異物流入防止部１３９が第１支持フレーム部１１０に固定されるようになっている。
【００５６】
（参考例４）
図７は、参考例４に係るバックライト組立品を示した分解斜視図であり、図８は、図７の液晶表示パネル支持体を示した斜視図であり、図９は、図８のＡ１−Ａ２に沿って切断した断面図である。
【００５７】
図７を参照すると、バックライト組立品１６００は、液晶表示パネル支持体１１００、第１収納容器１４００、光出射装置１３００及び第２収納容器１５００で構成される。
【００５８】
液晶表示パネル支持体１１００は、第１支持フレーム部１１１０、第２支持フレーム部１１２０を含む。第２支持フレーム部１１２０には第１結合孔１１２５ａが形成される。
【００５９】
第１収納容器１４００は、第１底面１４１０及び第１側壁１４２０で構成される。第１収納容器１４００は、多様な材質で製作されることができ、本参考例では好ましくは金属材料で製作される。
【００６０】
第１底面１４１０は、長方形プレート形状を有し、第１側壁１４２０は、第１底面１４１０の各端縁からそれぞれ突出し、収納空間が形成されるようになっている。第１底面１４１０の端縁から突出した第１側壁１４２０のうち、参照符号１４２２及び参照符号１４２４で図示された第１側壁には、第１収納容器１４００を第２収納容器１５００に固定するためのブラケット１４２５、１４２６が形成される。ブラケット１４２５、１４２６には、それぞれ第１ねじ締結孔１４２５ａ、１４２６ａが形成される。
【００６１】
光出射装置１３００は、第１収納容器１４００の収納空間に配置される。一参考例として光出射装置１３００は、反射板１３１０、導光板１３２０、ランプ組立品１３３０及び光学シート類１３４０を含む。
【００６２】
一参考例として反射板１３１０は、第１収納容器１４００の第１底面１４１０に配置される。反射板１３１０は、光反射率に優れた合成樹脂等で製作される。導光板１３２０は、反射板１３１０の上面に装着される。導光板１３２０は、直六面体プレート又はくさび形状に製作される。
【００６３】
ランプ組立品１３３０は、導光板１３２０の両側面に結合される。ランプ組立品１３３０は、ランプ１３３２及びランプカバー１３３４で構成される。
【００６４】
ランプ１３３２は、導光板１３２０の側面と向かい合うように配置され、冷陰極線管方式のランプを用いることができる。ランプカバー１３３４は、ランプ１３３２を囲み、ランプ１３３２が導光板１３２０の側面に結合されるようにしている。
【００６５】
光学シート類１３４０は、導光板１３２０の上面に装着され、導光板１３２０から出射した光の輝度分布をより均一にする。光学シート類１３４０は、少なくとも１枚の拡散シート、少なくとも１枚のプリズムシート等で構成される。光学シート類１３４０には少なくとも１個の固定部１３４２が突出して形成され、固定部１３４２には第２結合孔１３４３が形成される。
【００６６】
一方、第２収納容器１５００は、第１収納容器１４００を収納するのに適合した形状に製作される。従って、第２収納容器１５００は上面が開口された直六面体箱形状に製作される。
【００６７】
具体的に、第２収納容器１５００は、第２底面１５１０及び第２側壁１５２０で構成される。第２側壁１５２０のうち、第１収納容器１４００のブラケット１４２５、１４２６の第１ねじ締結孔１４２５ａ、１４２６ａと対応する部分には、第２ねじ締結孔１５２２、１５２４が形成され、ねじ１５２６は第１ねじ締結孔１４２５ａ、１４２６ａ及び第２ねじ締結孔１５２２、１５２４に締結される。
【００６８】
一方、第２収納容器１５００の第２側壁１５２０には、光学シート類１３４０の固定部１３４２に形成された第２結合孔１３４３と結合するための固定ボス１５２７が形成される。
【００６９】
又、第２収納容器１５００の第２側壁１５２０の側面には液晶表示パネル支持体１１００の第１結合孔１１２５ａとフック結合するための結合突起１５２８が形成される。
【００７０】
図７乃至図９を参照すると、液晶表示パネル支持体１１００は、図８に仮想線で図示された液晶表示パネル１０５０を固定する役割を果たす。従って、液晶表示パネル支持体１１００は、液晶表示パネル１０５０の形状に対応する形状を有する。本参考例において仮想線で図示された液晶表示パネル１０５０は、長方形プレート形状を有し、液晶表示パネル支持体１１００は、液晶表示パネル１０５０を支持するために、開口１１０５が形成された長方形フレーム形状を有する。
【００７１】
液晶表示パネル支持体１１００は、第１支持フレーム部１１１０、第２支持フレーム部１１２０及び異物流入防止部１１３０で構成される。
【００７２】
図８及び図９を参照すると、第１支持フレーム部１１１０は、液晶表示パネル１０５０の底面１０２０を支持する役割を果たす。第１支持フレーム部１１１０は、液晶表示パネル１０５０の底面１０２０の端縁に接触する。液晶表示パネル１０５０の底面１０２０は、長方形形状を有するので、第１支持フレーム部１１１０も長方形形状を有する。
【００７３】
第２支持フレーム部１１２０は、第１支持フレーム部１１１０に装着された液晶表示パネル１０５０の各側面１０３０と向かい合うように構成されている。第２支持フレーム部１１２０は、液晶表示パネル１０５０の水平方向の移動を制限する。第１支持フレーム部１１１０と第２支持フレーム部１１２０は、射出成形により製作されるか、第１支持フレーム部１１１０に第２支持フレーム部１１２０を接着して製作することができる。
【００７４】
第２支持フレーム部１１２０には、他の部材、例えば、収納容器等と結合するための結合部１１２５を形成してもよい。結合部１１２５は、第１支持フレーム部１１１０に関して第２支持フレーム部１１２０の形成方向（上側方向）に対して反対方向（下側方向）に突出し、結合部１１２５には第１結合孔１１２５ａが形成される。
【００７５】
異物流入防止部１１３０は、第１支持フレーム部１１１０及び液晶表示パネル１０５０の底面１０２０の間を異物が通過することを防止する役割を果たす。
【００７６】
図７乃至図９を更に参照すると、異物流入防止部１１３０は、第１支持フレーム部１１１０に塗布された異物流入防止敷居（本参考例においては、異物流入防止部と同一番号を付与する）である。具体的に、異物流入防止敷居１１３０は、第１支持フレーム部１１１０の第１面１１１５に沿って閉ループ形状に形成される。異物流入防止敷居１１３０は、接着性のある異物防止溶液を所定高さを維持しつつ列状に塗布した後、凝固させて形成する。
【００７７】
好ましくは、異物防止溶液は弾性力を有する物質であり、液晶表示パネル１０５０が第１支持フレーム部１１１０に装着された時に、液晶表示パネル１０５０に損傷を与えず、液晶表示パネル１０５０と完全に密着されることができるシリコン溶液又はゴム溶液である。本参考例では、シリコン溶液を例として説明する。
【００７８】
第１面１１１５にシリコン溶液で形成した異物流入防止敷居１１３０は完全な閉ループであり、液晶表示パネル１０５０の底面１０２０と完全に密着するので、外部から流入した異物は、第１支持フレーム部１１１０と液晶表示パネル１０５０の底面１０２０との間を通過することができなくなる。
【００７９】
特に、異物流入防止敷居１１３０を第１支持フレーム部１１１０に閉ループ形状に形成し、液晶表示パネル１０５０を装着することにより、異物流入防止しきい１１３０によって外部から流入しようとする異物は完全に遮断される。
【００８０】
本参考例によると、外部から流入して表示品質を非常に低下させる異物を、閉ループ形状に形成された異物流入防止敷居によって完全に遮断することで、表示品質の低下を防止できる。
【００８１】
（参考例５）
図１０は、参考例５に係るバックライト組立品の液晶表示パネル支持体を示した断面図である。本参考例において、異物流入防止部を除いた残りの構成要素は、参考例４と同じなので、その重複説明は省略し、参考例４で説明した参照符号及び名称は同一に用いることにする。
【００８２】
図１０を参照すると、異物による表示性能の低下をより低減するために、異物流入防止部１１３０は、異物流入防止敷居１１３２と異物流入防止溝１１３４で構成される。
【００８３】
異物流入防止敷居１１３２は、第１支持フレーム部１１１０の第１面１１１５に沿って相互離隔されて少なくとも２列以上形成される。本参考例において、それぞれの異物流入防止敷居１１３２はシリコンからなり、異物流入防止敷居１１３２は、第１面１１１５に沿って閉ループ形状に形成される。
【００８４】
異物流入防止溝１１３４は、相互離隔された複数列の異物流入防止敷居１１３２の間に形成される。即ち、異物流入防止溝１１３４は、異物流入防止敷居１１３２が離隔された部分である。従って、異物流入防止溝１１３４の個数は、第１面１１１５に形成される異物流入防止敷居１１３２の個数によって定められる。
【００８５】
異物流入防止敷居１１３２は、所定の高さを有しているので、液晶表示パネル１０５０が異物流入防止敷居１１３２と密着している場合、外部から流入する異物は、液晶表示パネル１０５０の底面１０２０と異物流入防止敷居１１３２との間に侵入することができない。そして、異物流入防止溝１１３４は、多様な要因によって予測外に異物流入防止敷居１１３２を通過した異物を重力によって更に捕捉する。
【００８６】
本参考例によると、閉ループ形状を有する異物流入防止敷居を、少なくとも２列以上に形成して、異物が異物流入防止敷居を通過することを防止する。又、異物流入防止敷居の間に異物流入防止溝を更に形成して、予想外に異物流入防止敷居を通過した異物をもう一度捕捉して、表示品質が低下することを防止する。
【００８７】
（参考例６）
図１１は参考例６によるバックライト組立品の液晶表示パネル支持体を示す断面図である。本参考例において異物流入防止部を除いた残りの構成要素は参考例４と同一であるため重複された説明は省略し、参考例４に説明された参照符号及び名称は等しく使用する。
【００８８】
図１１に示すように、第１支持フレーム部１１１０には、異物流入防止部１１３０が形成される。また、異物流入防止部１１３０は異物流入防止敷居１１３６及び異物流入防止溝１１３８で構成される。
【００８９】
異物流入防止部１１３０を形成するために、第１支持フレーム部１１１０の第１面１１１５に沿ってシリコン溶液が所定の広さで塗布される。塗布されたシリコン溶液は第１面１１１５に沿って加圧される。
【００９０】
このとき、凸状部を有する加圧手段（図示略）を用いて、凸状部がシリコン溶液の中央部に位置した状態で加圧する。このため、シリコン溶液は加圧される高さ即ち加圧量が互いに異なる。例えば、シリコン溶液の中央部分は多く加圧され、残りの部分は小さく加圧される。
【００９１】
これによって、多く加圧された部分（中央部分）は異物流入防止溝１１３８となり、相対的に小さく加圧された部分は異物流入防止敷居１１３６となる。
【００９２】
第１面１１１５に形成される異物流入防止敷居１１３６の数は異物流入防止溝１１３８の数により決定され、異物流入防止敷居１１３６及び異物流入防止溝１１３８は閉ループを成す。
【００９３】
異物流入防止敷居１１３２は所定の高さを有しているので、液晶表示パネル１０５０が異物流入防止敷居１１３２と密着した場合、外部から流入する異物は、液晶表示パネル１０５０の底面１０２０と異物流入防止敷居１１３２との間に侵入できなくなる。そして、異物流入防止溝１１３４は多様な要因によって異物流入防止敷居１１３２を通過した異物を重力によりもう一度捕捉する。
【００９４】
本参考例によると、外部から流入した異物を少なくとも２回以上捕捉するので、異物による表示不良を顕著に減少させることができる。また、本参考例によると、少なくとも２つの異物流入防止敷居及び異物流入防止溝が非常に簡単な工程により同時に形成されるため、異物流入防止敷居及び異物流入防止溝を製造するにかかる時間も大幅に短縮させる効果を得られる。
【００９５】
液晶表示装置
（参考例７）
図１２は参考例７による液晶表示装置を示す分解斜視図である。
【００９６】
図１２に示すように、液晶表示装置９００は第１収納容器４００、光出射装置３００、液晶表示パネル７００、液晶表示パネル支持体１００、第２収納容器５００及びシャーシ８００で構成される。
【００９７】
このとき、第１収納容器４００、光出射装置３００、液晶表示パネル支持体１００は前述したバックライト組立品の参考例１乃至参考例３を参照して具体的に説明されたので部分の重複された説明は省略することにする。
【００９８】
液晶表示パネル７００は、液晶表示パネル支持体１００の第１支持フレーム部１１０に装着され、第２支持フレーム部１２０により移動が制限される。
【００９９】
また、液晶表示パネル７００は、ＴＦＴ基板７１０、液晶７３０及びカラーフィルター基板７２０から構成される。ＴＦＴ基板７１０とカラーフィルター基板７２０は相互重なるように配置され、ＴＦＴ基板７１０とカラーフィルター基板７２０との間には液晶７３０が注入される。
【０１００】
シャーシ８００は液晶表示パネル７００が液晶表示パネル支持体１００から離脱するのを防止し、外部から加えられた衝撃によって液晶表示パネル７００が破損することを防止する役割も有する。
【０１０１】
これを実現するために、シャーシ８００は第１シャーシ面８１０、第１シャーシ面８１０に沿って延設された第２シャーシ面８２０で構成される。
【０１０２】
第１シャーシ面８１０は液晶表示パネル７００のカラーフィルター基板７２０の端縁を囲む長方形プレート形状を有し、第２シャーシ面８２０は第１シャーシ面８１０から第１収納容器４００の第１側壁４２０と対向する方向に延設される。第２シャーシ面８２０は第１側壁４２０を囲む形状を有している。
【０１０３】
シャーシ８００には第３ねじ締結孔８３０が形成される。第３ねじ締結孔８３０は、第２ねじ締結孔５２２、５２４と対応する位置に形成される。第２ねじ締結孔５２２、５２４及び第３ねじ締結孔８３０は締結ねじ５２６によって共に締結される。
【０１０４】
（参考例８）
図１３は参考例８による液晶表示装置の分解斜視図である。
【０１０５】
図１３に示すように、液晶表示装置１９００は第１収納容器１４００、光出射装置１３００、液晶表示パネル１７００、液晶表示パネル支持体１１００、第２収納容器１５００及びシャーシ１８００で構成される。
【０１０６】
このとき、第１収納容器１４００、第２収納容器１５００、光出射装置３００及び液晶表示パネル支持体１１００は前述した参考例４乃至参考例６を参照して具体的に説明されたので、重複された説明は省略することにする。
【０１０７】
液晶表示パネル１７００は液晶表示パネル支持体１１００の第１支持フレーム部１１１０に装着され、第２支持フレーム部１１２０により移動が制限される。
【０１０８】
また、液晶表示パネル１７００はＴＦＴ基板１７１０、液晶１７３０及びカラーフィルター基板１７２０で構成される。ＴＦＴ基板１７１０とカラーフィルター基板１７２０は相互に重なるように配置され、ＴＦＴ基板１７１０とカラーフィルター基板１７２０との間には液晶１７３０が注入される。
【０１０９】
シャーシ１８００は液晶表示パネル１７００が液晶表示パネル支持体１１００から離脱を防止し、外部から加えられた衝撃により液晶表示パネル１７００が破損されることを防止する役割をも有する。
【０１１０】
これを実現するために、シャーシ１８００は第１シャーシ面１８１０、第１シャーシ面１８１０に沿って延設された第２シャーシ面１８２０で構成される。
【０１１１】
第１シャーシ面１８１０は液晶表示パネル１７００のカラーフィルター基板１７２０の端縁を囲む長方形プレート形状を有し、第２シャーシ面１８２０は第１シャーシ面１８１０から第１収納容器１４００の第１側壁１４２０と対向する方向に延設される。第２シャーシ面１８２０は、第１収納容器１４００の第１側壁１４２０を囲む形状を有する。
【０１１２】
第１シャーシ面１８１０には第３ねじ締結孔１８３０が形成される。第３ねじ締結孔１８３０は第２ねじ締結孔１５２２、１５２４と対向する位置に形成される。第２ねじ締結孔１５２２、１５２４及び第３ねじ締結孔１８３０はねじ１５２６によって締結される。
【０１１３】
（実施例）
図１４は本発明の実施例による液晶表示装置の分解斜視図である。
【０１１４】
図１４に示すように、液晶表示装置は、画像信号が印加されて画像を表示するための液晶表示モジュールと、液晶表示モジュールを収納するためのフロントケース２０１０及びリアーケース２０２０で構成されたケース、とを含む。
【０１１５】
液晶表示モジュールは、画像を表示する液晶表示パネル２６１０を有するディスプレイユニット２６００を含む。
【０１１６】
ディスプレイユニット２６００は、データ側印刷回路基板２６２０、データ側テープキャリアーパッケージ２６３０、ゲート側印刷回路基板２６４０及びゲート側テープキャリアーパッケージ２６５０をさらに含む。
【０１１７】
液晶表示パネル２６１０は、薄膜トランジスタ基板２６１２とカラーフィルター基板２６１４及び液晶（図示せず）を含む。
【０１１８】
薄膜トランジスタ基板２６１２は、マトリックス状の薄膜トランジスタが形成されている透明なガラス基板である。前記薄膜トランジスタのソース電極にはデータラインが接続され、ゲート電極にはゲートラインが接続される。また、薄膜トランジスタが形成された薄膜トランジスタ基板２６１２には、画素電極が形成されてドレーン電極と接続される。前記画素電極は、透明な導電性材料であるインジウムすず酸化物（ＩＴＯ）からなる。
【０１１９】
データライン及びゲートラインに電気的信号を入力すると、それぞれの薄膜トランジスタのソース電極とゲート電極に電気的信号が入力され、これらの電気的信号の入力に応じて薄膜トランジスタはオンまたはオフされて、ドレーン電極へは画素電極に必要とされる電気的信号が出力される。
【０１２０】
前記薄膜トランジスタ基板２６１２に対向してカラーフィルター基板２６１４が具備されている。カラーフィルター基板２６１４は、光が通過しながら所定の色が発現する色画素であるＲＧＢ画素が、薄膜製造工程により形成された基板である。カラーフィルター基板２６１４の全面には、ＩＴＯからなる共通電極が形成されている。
【０１２１】
前述した薄膜トランジスタ基板２６１２のトランジスタのゲート電極及びソース電極には電圧が印加されて、薄膜トランジスタがターンオフされると、画素電極とカラーフィルター基板の共通電極との間には電界が形成される。このような電界により薄膜トランジスタ基板２６１２とカラーフィルター基板２６１４との間に注入された液晶の配列角が変化し、変化した配列角に応じて光透過度が変更されて所望する画素が得られる。
【０１２２】
前記液晶表示パネル２６１０の液晶の配列角と液晶が配列されるタイミングを制御するために、薄膜トランジスタのゲートラインとデータラインに駆動信号及びタイミング信号が入力される。
【０１２３】
図１４に示すように、液晶表示パネル２６１０のソース側には、データ駆動信号の印加タイミングを決定するための、フレキシブル回路基板の一種であるデータテープキャリアーパッケージ２６３０が取付けられており、ゲート側にはゲートの駆動信号の印加タイミングを決定するための、ゲートテープキャリアーパッケージ２６５０が取付けられている。
【０１２４】
液晶表示パネル２６１０の外部から映像信号の入力を受けて、ゲートラインとデータラインにそれぞれ駆動信号を出力するためのデータ側印刷回路基板２６２０とゲート側印刷回路基板２６４０とは、液晶表示パネル２６１０のデータライン側のデータテープキャリアパッケージ２６３０とゲートライン側のテープキャリアパッケージ２６５０にそれぞれ接続される。データ側印刷回路基板２６２０は、コンピュータなどのような外部の情報処理装置（図示せず）から発生した映像信号の入力を受けて、前記液晶表示パネル２６１０にデータ駆動信号を提供するためのソース部が形成されている。ゲート側印刷回路基板２６４０は、コンピュータなどのような外部の情報処理装置（図示せず）から発生した映像信号の入力を受けて、前記液晶表示パネル２６１０のゲートラインにゲート駆動信号を提供するためのゲート部が形成されている。
【０１２５】
即ち、データ側印刷回路基板２６２０及びゲート側印刷回路基板２６４０とは、液晶表示装置を駆動するための信号であるゲート駆動信号、データ信号及びこれらの信号を適切な時期に印加するための複数のタイミング信号を発生させ、ゲート駆動信号はゲートテープキャリアパッケージ２６５０を通じて液晶表示パネル２６１０のゲートラインに入力され、データ信号はデータテープキャリアパッケージ２６３０を通じて液晶表示パネル２６１０のデータラインに入力される。
【０１２６】
前記ディスプレイユニット２６００の下には、前記ディスプレイユニット２６００に均一な光を提供するためのバックライト組立品２７００が具備されている。バックライト組立品２７００は光を発生させるためのランプ２７１０を含む。ランプ２７００はランプカバー２７１２によりそれぞれ保護される。
【０１２７】
導光板２７２０は、前記ディスプレイユニット２６００の液晶表示パネル２６１０に対応する大きさを有し、液晶表示パネル２６１０の下に位置して、ランプ２７１０から発生した光をディスプレイユニット２６００の方に案内しながら光の経路を変更する。
【０１２８】
前記導光板２７２０の上には、前記導光板２７２０から出射されて液晶表示パネル２６１０に向かう光の輝度を均一にするための複数個の光学シート２７３０が具備されている。また、前記導光板２７２０の下には、前記導光板２７２０から漏洩される光を前記導光板２７２０に反射させて光の効率を高めるための反射板２７４０が具備されている。
【０１２９】
前記ディスプレイユニット２６００とバックライト組立品２７００とは、収納容器であるモールドフレーム２８００により固定されて支持される。本発明のモールドフレーム２８００は突起を有する。
【０１３０】
また、前記モールドフレーム２８００と結合して前記ディスプレイユニット２６００及び前記バックライト組立品２７００とを固定するトップシャーシ２９００が提供される。前記トップシャーシ２９００は、前記ディスプレイユニット２６００のデータ側印刷回路基板２６２０とゲート側印刷回路基板２６４０とを前記モールドフレーム２８００の底面部に固定して、ディスプレイユニット２６００が離脱することを防止する。
【０１３１】
図１５は、図１４に示されたモールドフレームにランプユニットを収納した構造を示す切欠き斜視図であり、図１６は図１５に図示されたモールドフレーム、ランプユニット及びトップシャーシが結合された構造をＩ−Ｉ’線に沿って切断した断面図である。図１５及び図１６に示すように、前記ランプ２７１０はランプカバー２７１２に収納されて、前記モールドフレーム２８００の収納空間の一端部に収納される。さらに、前記モールドフレーム２８００の収納空間には、前記ランプ２７１０から出射される光を前記液晶表示パネル２６１０に提供するための反射板２７４０、導光板２７２０及び光学シート２７３０（図１４参照）が順次に収納される。
【０１３２】
前記ランプ２７１０の両端には、前記ランプカバー２７１２に収納されたランプ２７１０の位置を調整するためのランプホルダー２７１０ａ、２７１０ｂが設置されている。また、ランプカバー２７１２に収納されたランプ２７１０の両端には、高電圧を印加するためのホット電極２７１１ａ及び低電圧を提供するための接地電極２７１１ｂがそれぞれ接続される。
【０１３３】
前記ホット電極２７１１ａ及び接地電極２７１１ｂは、前記モールドフレーム２８００の一端側外部でコネクター（図示せず）に連結される。これのために、前記接地電極２７１１ｂは前記ランプ２７１０の一端部から前記ホット電極２７１１ａが位置した他の一端部まで長く延設されて外部に引き出され、ホット電極２７１１ａも接地電極２７１１ｂとコネクターにより接続されるように外部に引き出される。
【０１３４】
一方、前記モールドフレーム２８００の一端部の下面には、前記ランプ２７１０の長手の方向に沿って前記トップシャーシ２９００の断面の厚さＬ２より大きい幅Ｌ１の突出部２８０１が形成される。
【０１３５】
即ち、前記接地電極２７１１ｂ及びホット電極２７１１ａは、前記モールドフレーム２８００の一端部下面に形成された突出部２８０１に引っかかって、前記モールドフレーム２８００の外壁から脱落してワイヤーが損傷するおそれが少なく、接地電極２７１１ｂ及びホット電極２７１１ａが脱落するとしても、トップシャーシ２９００の厚さＬ２がモールドフレーム２８００の幅Ｌ１より小さいので、トップシャーシ２９００の端に引っかかってワイヤーが損傷するおそれが少ない。
【０１３６】
また、モールドフレーム２８００の突出部が具備されることにより、モールドフレーム２８００とトップシャーシ２９００が形成する空間が液晶表示パネル２６１０の方に向かってまっすぐ開かないので、異物が流入することを防止することができ、図１６に示されたように、モールドフレーム２８００の突出部２８０１とトップシャーシ２９００の縁側とが接するところを接着物質２７２０を用いて塞ぐことで、異物が流入することをさらに効果的に防止することができる。
【０１３７】
異物遮断装置
（参考例９）
以下、液晶表示パネル支持体の第１支持フレーム部に異物流入防止部を形成するための異物遮断部形成装置の構成を添付した図面を参照して説明する。
【０１３８】
図１７は、参考例９によるバックライト組立品の液晶表示パネル支持体に異物流入防止部を形成するための異物遮断部形成装置を図示した斜視図である。
【０１３９】
図１７に示すように、異物遮断部形成装置１２００は、ベース本体１２１０、ディスペンサー１２２０、供給部材１２３０及び移送部材１２４０を備えている。
【０１４０】
ベース本体１２１０には、第１支持フレーム部１１１０及び第２支持フレーム部１１２０が形成された液晶表示パネル支持体１１００が置かれる。
【０１４１】
ディスペンサー１２２０は、ディスペンサー本体１２２２及びノズル１２２４で構成される。ディスペンサー１２２０は供給部材１２３０から所定の溶液、例えばシリコン溶液の供給を受けて、第１支持フレーム部１１１０に異物流入防止部１１３０を形成する。
【０１４２】
図示していないが、ディスペンサー本体１２２２の内部には供給部材１２３０から供給されたシリコン溶液を収容するための収納空間が形成されている。
【０１４３】
ノズル１２２４は、ベース本体１２１０と向かい合うディスペンサー本体１２２２の下部面に形成されている。ノズル１２２４は収納空間に満たされたシリコン溶液を吐出して、第１支持フレーム部１１１０にシリコン溶液を塗布する。このとき、本参考例においては前述した液晶表示パネル支持体の参考例４による異物防止敷居を形成するために１つのノズル１２２４を有するが、バックライト組立品の参考例５を実現する場合には、ノズル１２２４は少なくとも２つが設けられる。
【０１４４】
供給部材１２３０は、溶液貯蔵容器１２３２、供給管１２３４及び窒素ガス流入管１２３６を含む。
【０１４５】
溶液貯蔵容器１２３２には、異物流入防止部１１３０を形成するためのシリコン溶液が貯蔵されている。
【０１４６】
供給管１２３４は、溶液貯蔵容器１２３２とディスペンサー本体１２２２とを連結し、この供給管１２３４により、溶液貯蔵容器１２３２に貯蔵されたシリコン溶液はディスペンサー本体１２２２の収納空間に供給される。これを実現するために、供給管１２３４の一方の端部は溶液貯蔵容器１２３２に連結され、供給管１２３４の他方の端部はディスペンサー本体１２２２に連結される。
【０１４７】
窒素ガス流入管１２３６は溶液貯蔵容器１２３２に連結される。窒素ガス流入管１２３６は、溶液貯蔵容器１２３２の内部に窒素ガスを注入して、溶液貯蔵容器１２３２に貯蔵されたシリコン溶液を供給管１２３４に押し上げる。
【０１４８】
移送部材１２４０は、第１案内棒１２４２及び第２案内棒１２４４を有する。第１案内棒１２４２はｘ軸方向に沿ってディスペンサー本体１２２２を貫通して長く設置され、第２案内棒１２４４はｙ軸方向に沿ってディスペンサー本体１２２２を貫通して長く設置されている。このため、第１案内棒１２４２はディスペンサー１２２０をｘ軸に移送させ、第２ガイドバー１２４４はディスペンサー１２２０をｙ軸方向に移送させる。
【０１４９】
図示していないが、第１及び第２案内棒１２４２、１２４４は案内レールに連結され、駆動モーターによって駆動されてｘ軸及びｙ軸方向に移動する。
【０１５０】
このような移送部材１２４０は、広く知られているｘｙテーブルと同様に作動するので、より詳細な説明は省略することにする。
【０１５１】
このような異物遮断部形成装置は、前述した参考例４及び参考例５の異物流入防止部をバックライト組立品に形成するに適している。
【０１５２】
しかし、前述したバックライト組立品の参考例６のように、塗布されたシリコン溶液を加圧して異物流入防止溝１１３８を形成する場合には、図１７に示されたようにディスペンサー１２２０の進行方向の後ろの方に加圧ローラー１２５０をさらに設置する必要がある。
【０１５３】
加圧ローラー１２５０は、加圧ローラー本体１２５２、ロッド１２５４、連結部１２５６及び回転ローラー１２５８で構成される。
【０１５４】
加圧ローラー本体１２５２はディスペンサー１２２０に設置され、ロッド１２５４は液晶表示パネル支持体１１００と向かい合う加圧ローラー本体１２５２の一面（図では下面）に設置され上下に移動する。
【０１５５】
連結部１２５６は、回転ローラー１２５８が回転できるように、回転ローラー１２５８をロッド１２５４に固定させる。
【０１５６】
回転ローラー１２５８は、シリコン溶液を加圧して図１１に示された異物流入防止溝１１３８を形成する。
【０１５７】
一方、ディスペンサー１２２０の進行方向をｘ軸方向からｙ軸方向に変更させるために、制御部（図示せず）に予め設定された値を入力しておく。より正確にディスペンサー１２２０の進行方向を変更させるために、図１７に図示されたように、ディスペンサー１２２０の進行方向の前方にＣＣＤカメラ１２６０を設置してもよいのである。
【０１５８】
このように構成された塗布装置の作用を、添付された図１７を参照して説明すると次のようである。
【０１５９】
まず、ベース本体１２１０の上部面に液晶表示パネル支持体１１００が置かれる。
【０１６０】
続いて、窒素ガス流入管１２３６に窒素ガスが供給され、窒素ガスは溶液貯蔵容器１２３２に貯蔵されたシリコン溶液を供給管１２３４に押上げる。そうすると、シリコン溶液が供給菅１２３４を通じてディスペンサー本体１２２２の内部に形成された収納空間に供給される。
【０１６１】
ディスペンサー本体１２２２に流入したシリコン溶液は、ノズル１２２４を通じて外部に吐出し始める。このとき、移送部材１２４０が作動して、ディスペンサー１２２０を所定方向、例えば、ｘ軸方向に移動させる。
【０１６２】
そうすると、液晶表示パネル支持体１１００の第１支持フレーム部１１１０に、少なくとも一列以上の異物流入防止部１１３０が形成され始める。
【０１６３】
ディスペンサー１２２０がｘ軸方向を移動して第１支持フレーム部１１１０の角部分に至ると、ディスペンサー１２２０は進行方向を変えてｙ軸方向の案内棒１２４４に沿ってｙ軸方向に移動しながら、第１支持フレーム部１１１０に継続的にシリコン溶液を塗布する。以後、このような過程を反復して、第１支持フレーム部１１１０の第１面１１１５には閉ループ形状を有する異物流入防止部１１３０が形成される。
【０１６４】
バックライト組立品の参考例６で説明されたように、異物流入防止部１１３０に異物流入防止溝１１３８を形成する場合、加圧ローラー１２５０のロッド１２５４を第１支持フレーム部１１１０の方に下降させる。そうすると、回転ローラー１２５８がディスペンサー１２２０と共に移動しながら第１支持フレーム部１１１０に塗布されたシリコン溶液を加圧して異物流入防止溝を形成するようになる。
【０１６５】
以上、本発明の実施例によって詳細に説明したが、本発明はこれに限定されず、本発明が属する技術分野において通常の知識を有するものであれば本発明の思想と精神を離れることなく、本発明を修正または変更できる。
【符号の説明】
【０１６６】
５０、１０５０    液晶表示パネル、
１００、１１００    液晶表示パネル支持体、
１１０、１１１０    第１支持フレーム部、
１１３    結合溝、
１２０、１１２０    第２支持フレーム部、
１２５、１１２５ａ    結合部、
１２５ａ    第１結合孔、
１３５    第１異物流入防止部、
１３７、１３８、１３９    第２異物流入防止部、
３００、１３００    光出射装置、
３１０、１３１０    反射板、
３２０、１３２０    導光板、
３３０、１３３０    ランプ組立品、
３３２、１３３２    ランプ、
３３４、１３３４    ランプカバー、
３４０、１３４０    光学シート類、
４００、１４００    第１収納容器、
４２５、４２６、１４２５、１４２６    ブラケット、
４２５ａ、４２６ａ、１４２５ａ、１４２６ａ    第１ねじ締結孔、
５００、１５００    第２収納容器、
５２８、１５２８    結合突起、
６００、１６００    バックライト組立品、
２６００    ディスプレイユニット、
２６１０    液晶表示パネル（ディスプレイパネル）、
２７００    バックライト組立品、
２７１０    ランプ、
２７２０    接着物質、
２８００    モールドフレーム（収納容器）、
２８０１    突出部、
２９００    トップシャーシ。
【図１】
2010250356.tif 000003
【図２】
2010250356.tif 000004
【図３】
2010250356.tif 000005
【図４】
2010250356.tif 000006
【図５】
2010250356.tif 000007
【図６】
2010250356.tif 000008
【図７】
2010250356.tif 000009
【図８】
2010250356.tif 000010
【図９】
2010250356.tif 000011
【図１０】
2010250356.tif 000012
【図１１】
2010250356.tif 000013
【図１２】
2010250356.tif 000014
【図１３】
2010250356.tif 000015
【図１４】
2010250356.tif 000016
【図１５】
2010250356.tif 000017
【図１６】
2010250356.tif 000018
【図１７】
2010250356.tif 000019